(57)【要約】【課題】  長時間不在時の運転実績データを他から区別して運転実績データを蓄積記憶するコージェネレーションシステムを実現する。【解決手段】  運転実績データを逐次に蓄積記憶しながら、不在判定手段が使用者が不在であるか否かを判定し続ける。不在であると判定した時には運転実績の蓄積記憶を中止する。さらに不在開始時に遡及し、それ以降に蓄積記憶した運転実績データを消去する。  このコージェネレーションシステムによると、不在時の運転実績データが混入した運転実績データに基づいて、運転計画を立案したり、有利な利用方法を推奨したり、省エネルギー効果の実績を表示することを防止することができる。【選択図】  図３
2006090604.tif 000002
【特許請求の範囲】
【請求項１】
運転実績データを蓄積記憶するコージェネレーションシステムであり、
使用者が不在であるか否かを判定する不在判定手段と、
不在判定手段が不在であると判定した時にコージェネレーションシステムの運転を中止する手段と、
不在判定手段が不在であると判定したときに不在開始時以降に蓄積記憶した運転実績データを消去する手段と、
を備えているコージェネレーションシステム。
【請求項２】
不在判定手段は、運転状態の所定変化を検出する手段と、経過時間を計時する手段を備えており、前記所定変化が検出されない間に第１所定時間が経過した時に、不在であると判定することを特徴とする請求項１のコージェネレーションシステム。
【請求項３】
経過時間と比較する前記第１所定時間の入力手段を備えていることを特徴とする請求項２のコージェネレーションシステム。
【請求項４】
前記所定変化が検出されない間に第２所定時間（第１所定時間よりも長い）が経過したときには、その後に貯湯槽内の水が所定温度に昇温するまでの間は、貯湯槽からの出湯を禁止することを特徴とする請求項２または３のコージェネレーションシステム。
【請求項５】
前記所定変化が検出されない間に第２所定時間（第１所定時間よりも長い）が経過したときには、貯湯槽内の水を入替えることを推奨する旨を表示することを特徴とする請求項２から４のいずれかのコージェネレーションシステム。
【発明の詳細な説明】
【技術分野】
【０００１】
本発明は、コージェネレーションシステム（熱電併給システム）に関する。詳しくは、運転計画を立案するために、あるいは有利な利用方法を推奨する表示を行なうために、あるいは省エネルギー効果の実績を表示する等のために、運転実績データを蓄積記憶するコージェネレーションシステムに関する。
【背景技術】
【０００２】
コージェネレーションシステムは、電力と発電熱を発生する発電ユニットと、発電熱で加熱した温水を貯湯する貯湯槽と、貯湯槽に貯湯しておいた温水と水道水を必要に応じて混合する混合ユニットと、混合ユニットを通過した混合水を必要に応じて加熱する給湯器を備えている。コージェネレーションシステムは、貯湯槽に貯湯しておいた温水を必要に応じて適温に調温して温水利用箇所（給湯栓、浴槽、シャワー、床暖房システム等）に給湯する。温水利用箇所で必要とする温水温度よりも高温の温水が貯湯槽に貯湯されていれば、貯湯槽から送り出される温水と水道水を混合ユニットで混合することで必要温度に調温することができる。温水利用箇所で必要とする温水温度よりも低温の温水が貯湯槽に貯湯されていれば、給湯器で加熱する必要があるが、水道水を加熱する場合に比して必要な熱量は少なくて済む。コージェネレーションシステムは、総合的なエネルギー効率が高い。
【０００３】
コージェネレーションシステムの総合的なエネルギー効率は、発電熱で加熱した温水が利用しきられる場合に、高められる。利用しきれない量の温水を得ながら発電するよりは、商用電力を購入したほうが安価に済むことがあり、このような場合には、コージェネレーションシステムの運転を中止することが好ましい。
コージェネレーションシステムの効率的な運転計画を立案するためには、過去の電力需要や熱需要に関する実績データを必要とする。
コージェネレーションシステムの総合的なエネルギー効率には、利用方法も影響する。例えば、浴槽に温水を供給する時間を早めることによって、蓄熱量が最大となってそれ以上には蓄熱できない事態が発生することを防止し、総合的なエネルギー効率を上げることができる場合がある。有利な利用方法を推奨する表示を行なうためには、過去の電力需要や熱需要に関する実績データを必要とする。
コージェネレーションシステムの使用者は、コージェネレーションシステムによる省エネルギー効果の実績を知りたいと思っている。省エネルギー効果の実績を表示するためには、過去の電力需要や熱需要に関する実績データを必要とする。
上記のように、様々な目的のために、過去の電力需要や熱需要といった運転実績データを知りたいという要求が存在し、運転実績データを蓄積記憶するコージェネレーションシステムが開発されている。その一例が、特許文献１に開示されている。
【特許文献１】特開２００２−２８６２８９号公報
【発明の開示】
【発明が解決しようとする課題】
【０００４】
通常、運転実績データを蓄積記憶するコージェネレーションシステムでは、システム電源が常時投入され、システム電源が入っている間中、運転実績データが蓄積記憶される。こうして蓄積記憶された運転実績データに従って、運転計画を立案し、有利な利用方法を表示し、省エネルギー効果を表示する。
しかしながら、こうして蓄積記憶される運転実績データには、使用者が長時間不在である場合の運転実績データも含まれている。使用者が不在であるときに蓄積記憶した運転実績データに基づいて運転計画を立案しても合理的な運転計画が立案できない。あるいは有利な利用方法を推奨することができない。あるいは表示される省エネルギー効果の実績が不確かなものとなる。
上記の問題があることから、蓄積記憶した運転実績データが、使用者が長時間不在であったときの運転実績データであったのか否かを判別し、長時間不在であったときの運転実績データについては、本当の意味での運転実績データではないとする技術が必要とされている。
本発明はこの問題意識によって開発された技術であり、長時間不在時の運転実績データを他から区別して運転実績データを蓄積記憶するコージェネレーションシステムを実現する。
【課題を解決するための手段】
【０００５】
本発明は、運転実績データを蓄積記憶するコージェネレーションシステムに関する。本発明のコージェネレーションシステムは、使用者が不在であるか否かを判定する不在判定手段と、不在判定手段が不在であると判定した時にコージェネレーションシステムの運転を中止する手段と、不在判定手段が不在であると判定したときに不在開始時以降に蓄積記憶した運転実績データを消去する手段を備えている。
本発明のコージェネレーションシステムでは、運転実績データを逐次に蓄積記憶しながら、不在判定手段が使用者が不在であるか否かを判定し続ける。不在であると判定した時にはコージェネレーションシステムの運転を中止する。さらに不在開始時に遡及し、それ以降に蓄積記憶した運転実績データを消去する。ここで消去するという場合、完全に消去することのみならず、不在時の運転実績データであることを記憶して、非不在時の運転実績データでないことが判明するように措置することを含む。
このコージェネレーションシステムによると、不在時の運転実績データが混入した運転実績データに基づいて、運転計画を立案したり、有利な利用方法を推奨したり、省エネルギー効果の実績を表示することを防止することができる。
【０００６】
不在判定手段は、運転状態の所定変化を検出する手段と、経過時間を計時する手段を備えており、前記所定変化が検出されない間に第１所定時間が経過した時に、不在であると判定することが好ましい。
運転状態の所定変化には、流量センサの検出値の変化、電力センサの検出値の変化、人による機器操作の検出、人体感応センサによる検知等を例示することができる。流量センサの検出値が変化すれば、給湯栓が開かれて水（湯）が使用されたことがわかり、使用者が在宅していることがわかる。電力センサの検出値が所定値以上変化すれば、電気機器が使用されたことがわかり、使用者が在宅していることがわかる。人によって操作される機器が操作されたことが検出されれば、使用者が在宅していることがわかる。人体感応センサによって人体が検知されれば、使用者が在宅していることがわかる。
観測している事象の少なくとも１種に何らかの変化があったとき、所定変化があったとしてもよい。逆に言えば、観測している事象の全部について変化がないとき、所定変化がないとしてもよい。このことによって不在判定精度が向上する。
所定変化が第１所定時間を超えて検出されなければ、使用者が不在であると判定することができる。
【０００７】
蓄積記憶する運転実績から排除したい不在時と排除すべきでない不在時の区別は簡単でない。勤務等によって定期的に不在となる場合は運転実績に組み込むべき不在であり、蓄積記憶する運転実績から排除するべきでない。不定期的な出張による不在は、蓄積記憶する運転実績から排除しなければ、その後の合理的な運転計画を立案することができない。
この発明でいう不在は不定期的な長時間に亘る不在をいう。即ち、定期的な一時的不在（この明細書でいう不在ではない）の上限時間を超えてはじめて不在ということになる。
定期的な一時的不在の上限時間は、使用者のライフスタイルによって変動する。そこでコージェネレーションシステムが、経過時間と比較する第１所定時間の入力手段を備えていることが好ましい。
入力手段が用意されていると、使用者のライフスタイルにあわせて、不定期的な長時間に亘る不在を判別することが可能となる。
【０００８】
本発明のコージェネレーションシステムでは、前記した変化が検出されない間に第２所定時間が経過したときには、その後に貯湯槽内の水が所定温度に昇温するまでの間は、貯湯槽からの出湯を禁止することが好ましい。第２所定時間は第１所定時間よりも長い。混合ユニットの給湯器側からの入水バルブを閉じて水道水からの入水バルブを開ければ、貯湯槽内からの出湯を禁止することができる。
非常に長期に不在であると、その間に貯湯槽内の水に細菌が繁殖している可能性が絶無ではない。本発明では、第２所定時間を越える非常に長期な不在時には、その後に貯湯槽内の水が所定温度に昇温するまでの間は、貯湯槽内からの出湯を禁止する。貯湯槽内の水が加熱殺菌されるまでの間は、貯湯槽内からの出湯を禁止するのである。これによって、高い安全性が確保される。
【０００９】
第２所定時間を越える非常に長期な不在時には、貯湯槽内の水を入替えることを推奨する旨を表示するようにしてもよい。
使用者は貯湯槽内の水を新鮮な水に入替えてから使用することができる。加熱殺菌と組合せて活用すれば一層効果的である。
【発明の効果】
【００１０】
本発明のコージェネレーションシステムによると、蓄積記憶する運転実績データ中に、使用者が不在時の運転実績データが混入しないために、蓄積記憶する運転実績データの信頼性と有用性が向上する。この結果、コージェネレーションシステムの合理的な運転が可能となる。
【発明を実施するための最良の形態】
【００１１】
以下、本発明の好適な実施形態を説明する。
（形態１）
給湯流量の所定量以上の変化、電力需要の所定量以上の変化、家庭内機器のリモコン操作、家庭内に備えられている人体感応センサによる感知があれば、不在でないとする。
（形態２）
貯湯槽内の水の入替え時には、浴槽への湯張り経路と、浴槽の排水口を経由して排水する。
（形態３）
不在時間が第２所定時間以上であったとき、貯湯槽内の水を加熱殺菌するか、貯湯槽内の水を入替えるかのいずれかを使用者が選択することができる。
（形態４）
貯湯槽内の水の入替え中に給湯要求があったときには、入替えを中断し、水道水のみを給湯器で加熱して給湯する。
（形態５）
加熱殺菌のために貯湯槽内の水の温度を所定温度にまで昇温している間に給湯要求があったときには、水道水のみを給湯器で加熱して給湯する。
【実施例】
【００１２】
本発明のコージェネレーションシステムを具現化した一実施例を図面を参照しながら説明する。
本実施例のコージェネレーションシステムは、図１に示すように、発電ユニット１１０と給湯システム１０等を備えている。
発電ユニット１１０は、改質器１１２、燃料電池１１４、熱交換器１１６，１１８、熱媒放熱器１２０、熱媒三方弁１２２、それらを接続する経路等を備えている。
改質器１１２には、バーナ１３１が設けられている。バーナ１３１が作動して熱を発生すると、改質器１１２は炭化水素系のガスから水素ガスを生成する。熱交換器１１６を燃焼ガス経路１２６が通過している。燃焼ガス経路１２６の一端は改質器１１２に接続され、他端は外部に開放されている。燃焼ガス経路１２６は、熱交換器１１６にバーナ１３１が発生する燃焼ガスを導き、熱交換によって温度が低下した燃焼ガスを外部に排出する。熱交換器１１６には、循環経路１２８も通過している。循環経路１２８は、循環復路１２８ａと、循環往路１２８ｂから構成されており、給湯システム１０と接続される。循環経路１２８が給湯システム１０にどのように接続されているのかについては、後述にて詳細に説明する。循環経路１２８は温水を流通させる。循環経路１２８を流れる温水は、熱交換器１１６を通過することによって燃焼ガス経路１２６を流れる燃焼ガスによって加熱され、温度が上昇する。
【００１３】
燃料電池１１４は複数のセルを有している。燃料電池１１４と改質器１１２は水素ガス供給経路１２１によって接続されている。改質器１１４で生成された水素ガスは、水素ガス供給経路１２１を流れて燃料電池１１４に供給される。燃料電池１１４は、改質器１１２から供給された水素ガスと、空気中の酸素とを反応させて発電を行なう。燃料電池１１４は発電すると発電熱を発生する。
熱媒循環経路１２４は、燃料電池１１４、熱交換器１１８、リザーブタンク１２５、熱媒ポンプ１２７、熱媒三方弁１２２を通って燃料電池１１４に戻る循環経路を形成している。熱媒循環経路１２４の燃料電池１１４の下流側には、熱媒温度センサ１１７が装着されている。熱媒温度センサ１１７は、熱媒循環経路１２４を流れる熱媒の温度を検出する。熱媒温度センサ１１７の検出信号は、給湯システム１０に装着されているコントローラ２１に出力される。
熱媒三方弁１２２は、１つの入口１２２ａと、２つの出口１２２ｂ，１２２ｃを備えている。熱媒三方弁１２２は、入口１２２ａと出口１２２ｂを連通させるか、入口１２２ａと出口１２２ｃを連通させるかを切換える。
熱媒三方弁１２２の出口１２２ｂと、熱媒循環経路１２４の熱媒三方弁１２２の出口１２２ｃの下流側とを接続する冷却経路１２９が設けられている。熱媒循環経路１２４と冷却経路１２９は熱媒としての純水を流通させる。冷却経路１２９の途中には熱媒放熱器１２０が装着されている。熱媒放熱器１２０に隣接して熱媒冷却ファン１１９が設けられている。熱媒冷却ファン１１９を運転すると、空気が熱媒放熱器１２０に吹付けられ、冷却経路１２９を流れる熱媒が冷却される。
改質器１１２、燃料電池１１４、バーナ１３１、熱媒三方弁１２２、熱媒ポンプ１２７、熱媒冷却ファン１１９は、コントローラ２１によって制御される。
【００１４】
燃料電池１１４が作動すると、熱媒三方弁１２２の入口１２２ａと出口１２２ｃが連通されるとともに、熱媒ポンプ１２７が運転される。熱媒ポンプ１２７が運転されると、熱媒循環経路１２４を熱媒が循環する。熱媒循環経路１２４を熱媒が循環することにより、燃料電池１１４から発電熱が回収される。熱媒によって回収された発電熱は、熱媒とともに熱交換器１１８まで運ばれ、循環経路１２８を流れる温水を加熱する。循環経路１２８については後述する。
熱媒温度センサ１１７が検出した熱媒温度が高くなりすぎると、発電熱の回収が不十分となってしまうため、発電熱の放熱を行なう。熱媒三方弁１２２の入口１２２ａと出口１２２ｂが連通され、同時に熱媒冷却ファン１１９が運転される。熱媒三方弁１２２の入口１２２ａと出口１２２ｂが連通されると、熱媒は冷却経路１２９に流入し、熱媒放熱器１２０を通過する。熱媒は、熱媒放熱器１２０を通過することによって冷却される。熱媒放熱器１２０は、熱媒冷却ファン１１９から空気が吹付けられることにより、高い効率で熱を放熱する。熱媒の温度が低下すると、熱媒三方弁１２２の入口１２２ａと出口１２２ｃが再び連通される。このような熱媒三方弁１２２の切換えが繰返されることにより、熱媒の温度は、所定範囲内に維持される。
【００１５】
給湯システム１０は、貯湯槽２０、給湯器２２、ミキシングユニット（混合ユニット）２４、これらを連通する複数の経路、コントローラ２１等を備えている。
貯湯槽２０の底部には、貯湯槽２０に水道水を給水する給水経路２６が接続されている。給水経路２６の入口２６ａの近傍には、減圧弁２８が装着されている。給水経路２６の減圧弁２８の下流側とミキシングユニット２４の給水入口２４ａは、ミキシングユニット給水経路３０によって接続されている。減圧弁２８は、貯湯槽２０とミキシングユニット２４への給水圧力を調整する。貯湯槽２０内の温水が減少したり、ミキシングユニット２４の給水入口２４ａが開いたりすると、減圧弁２８の下流側圧力が低下する。減圧弁２８は、下流側圧力が低下すると開き、その圧力を所定の調圧値に維持しようとする。このため、貯湯槽２０内の温水が減少したり、ミキシングユニット２４の給水入口２４ａが開いたりすると、それらに水道水が給水される。
貯湯槽２０には、調圧値に調圧された水が貯められる。貯湯槽２０は、調圧値に耐えられる耐圧容器で形成されている。貯湯槽２０の上部には出口部２０ａが設けられており、さらにその上にリリーフ弁３１が装着されている。リリーフ弁３１の開弁圧力は、減圧弁２８の調圧値よりも僅かに大きく設定されている。減圧弁２８の調圧が不能になった場合には、リリーフ弁３１が開き、貯湯槽２０内の圧力が耐圧々力を超えるのを防止する。リリーフ弁３１には、圧力開放経路３２の一端３２ａが接続されている。圧力開放経路３２の他端３２ｂは貯湯槽２０の外部に開放されている。
貯湯槽２０の底部と、圧力開放経路３２の他端３２ｂ近傍を接続する排水経路３３が設けられている。排水経路３３の途中には排水弁３４が装着されている。排水弁３４は手動で開閉することができる。排水弁３４を開くと、貯湯槽２０内の水が排水経路３３と開放経路３２を通って外部に排水される。
【００１６】
貯湯槽２０は、発電ユニット１１０の循環経路１２８（循環復路１２８ａ、循環往路１２８ｂ）と接続されている。詳しくは、循環復路１２８ａが貯湯槽２０の上部に接続され、循環往路１２８ｂが貯湯槽２０の下部に接続されている。これによって、貯湯槽２０と発電ユニット１１０との間の循環経路が形成されている。循環往路１２８ｂの途中には循環ポンプ４０が装着されている。循環復路１２８ａに復路サーミスタ４５が取付けられ、循環往路１２８ｂに往路サーミスタ４４が取付けられている。復路サーミスタ４５は循環復路１２８ａ内の温水の温度を検出し、往路サーミスタ４４は循環往路１２８ｂ内の温水の温度を検出する。復路サーミスタ４５と往路サーミスタ４４の検出信号はコントローラ２１に出力される。
循環ポンプ４０が作動すると、貯湯槽２０の底部から温水が吸出される。貯湯槽２０から吸出された温水は、循環往路１２８ｂを流れてから発電ユニット１１０の熱交換器１１８、１１６を通過することによって加熱されて温度が上昇する。温度が上昇した温水は、循環復路１２８ａを流れて貯湯槽２０の上部に戻される。このように、貯湯槽２０の底部から吸出された温水が、発電ユニット１１０の熱交換器１１８、１１６によって加熱されてさらに高温になり、貯湯槽２０の上部に戻される循環が行われることにより、貯湯槽２０に高温の温水が貯えられる。貯湯槽２０内の温度が低い状態から、貯湯槽２０に発電ユニット１１０からの高温の温水が戻されると、貯湯槽２０の上部に高温の温水が戻されることから、冷水層の上部に高温層が積層した状態（以下、「温度成層」と言う）が形成される。高温層よりも深い部分の水の温度は急激に低下する。発電中に、貯湯槽２０の底部から低温の温水が吸出され、上部に高温の温水が戻され続けると、高温層は低温層と混じり合うことなく、低温層の厚さ（深さ）は次第に小さくなり、高温層の厚さ（深さ）は次第に大きくなる。貯湯槽２０にフルに蓄熱された状態では、貯湯槽２０の全体に高温の温水が貯まった状態になる。温度成層が形成されることにより、貯湯槽２０にフルに蓄熱が行われていなくても、貯湯槽２０の最上部に設けられている出口部２０ａからは、高温の温水が送り出される。一方、貯湯槽２０の温水が利用されると、貯湯槽２０の上部の高温の温水が吸出され、底部から水道水が入水すると、高温層の厚さ（深さ）は次第に小さくなり、低温層の厚さ（深さ）は次第に大きくなる。貯湯槽２０内の温水を使い切ると、貯湯槽２０内は水道水で満たされた状態となる。
実際には、貯湯槽２０の全体に高温の温水が貯まった状態となるまで蓄熱を行なうことはない。貯湯槽２０の下部の温水温度が４０℃に達した時、安全を考慮して、貯湯槽２０への蓄熱が自動停止するように制御されている。なお、貯湯槽２０内の温水温度の測定については後述する。
【００１７】
コントローラ２１は、ＣＰＵ、ＲＯＭ、ＲＡＭ等を備えており、ＣＰＵがＲＯＭに格納されている制御プログラムを処理することにより、給湯システム１０を制御する。ＲＡＭには、コントローラ２１に入力される各種信号や、ＣＰＵが処理を実行する過程で生成される種々のデータが一時的に記憶される。コントローラ２１にはリモコン２３が接続されている。リモコン２３には、給湯システム１０を操作するためのスイッチやボタン、給湯システム１０の動作状態を表示する液晶表示器等が設けられている。
【００１８】
貯湯槽２０の上部から５リットルの箇所に上部サーミスタ３５が取付けられ、下部に下部サーミスタ３６が取付けられている。上部サーミスタ３５と下部サーミスタ３６は、貯湯槽２０内の温度を検出する。上部サーミスタ３５と下部サーミスタ３６の検出信号は、コントローラ２１に出力される。上部サーミスタ３５の検出温度と下部サーミスタ３６の検出温度の検出温度は、湯温制御に利用される。
ミキシングユニット２４は、温水入口２４ｃ、混合水出口２４ｂ、第１流量センサ６７、温水サーミスタ５０、給水サーミスタ４８、混合水サーミスタ５４、ハイカットサーミスタ５５、および既に説明した給水入口２４ａを有している。貯湯槽２０の出口部２０ａとミキシングユニット２４の温水入口２４ｃは、温水経路４２によって接続されている。第１流量センサ６７は、混合水出口２４ｂから流出する混合水の流量を検出する。温水サーミスタ５０は、温水入口２４ｃに流入する温水の温度を検出する。給水サーミスタ４８は、給水入口２４ａに流入する水道水の温度を検出する。混合水サーミスタ５４とハイカットサーミスタ５５は、混合水出口２４ｂから流出する混合水の温度を検出する。第１流量センサ６７、温水サーミスタ５０、給水サーミスタ４８、混合水サーミスタ５４、ハイカットサーミスタ５５の検出信号は、コントローラ２１に出力される。
【００１９】
コントローラ２１は、混合水サーミスタ５４の検出信号を用いて、温水入口２４ｃ側の開度と、給水入口２４ａ側の開度を変化させる。温水入口２４ｃ側の開度と、給水入口２４ａ側の開度を変化させると、貯湯槽２０からの温水と、水道水（冷水）とのミキシング割合が調整される。貯湯槽２０からの温水と水道水とのミキシング割合が調整されると、混合水出口２４ｂから流出する温水の温度が所定値に維持される。
コントローラ２１とミキシングユニット２４を組合せて用いることによって、混合水サーミスタ５４で計測される混合水の温度は、コントローラ２１が指令する温度に調整される。
コントローラ２１は、ハイカットサーミスタ５５によって温水が前記所定値を大きくオーバーしたことが検出された場合（即ち、混合水サーミスタ５４、あるいはミキシングユニット２４が故障した可能性が高い場合）に、温水入口２４ｃを閉じる。温水入口２４ｃが閉じると、前記所定値を大きくオーバーした温度の温水が、給湯器２２に供給されてしまうのが防止される。
ミキシングユニット２４の混合水出口２４ｂと給湯器２２のバーナ熱交換器５２（後述する）は、温水経路５１によって接続されている。温水経路５１には、第２流量センサ４７が装着されている。第２流量センサ４７の検出信号は、コントローラ２１に出力される。
【００２０】
給湯器２２は、バーナ熱交換器５２，６０、バーナ５６，５７、追焚き熱交換器５８、補給水弁５９、シスターン６１等を備えている。バーナ熱交換器５２には、温水経路５１を経由してミキシングユニット２４から温水が流入する。ガス燃焼式のバーナ５６はバーナ熱交換器５２を加熱する。バーナ５６は、コントローラ２１から点火の指示を受けると、プリパージ動作を行った後に燃焼を開始する。プリパージに要する時間は、燃焼用ファンのサイズや回転数、バーナ５６，５７の燃焼ガスがバーナ熱交換器５２，６０を通過して装置外へ排気される部分の容量等から設定され、予めコントローラ２１に記憶されている。プリパージには通常数秒を要し、本実施例のバーナ熱交換器５６では、プリパージに係る時間は１．５秒である。
バーナ熱交換器５２の下流側と給湯栓６４は給湯栓経路６３によって接続されている。給湯栓６４は、浴室、洗面所、台所等に配置されている（図１では、これら複数の給湯栓６４を１つで代表している）。給湯栓経路６３には給湯サーミスタ６５が装着されている。給湯サーミスタ６５はバーナ熱交換器５２から流出する温水の温度を検出する。給湯サーミスタ６５の検出信号はコントローラ２１に出力される。
【００２１】
給湯器２２内の温水経路５１の途中から、シスターン入水経路６２が分岐している。シスターン入水経路６２の開放端はシスターン６１の上部に差し込まれている。シスターン入水経路６２の途中には補給水弁５９が設けられている。補給水弁５９はコントローラ２１によって制御され、内蔵しているソレノイドが駆動されることによって開閉する。補給水弁５９が開かれると、ミキシングユニット２４からの温水がシスターン６１に供給される。
シスターン６１内には水位電極６６が装着されている。水位電極６６は、棒状のハイレベルスイッチ６６ａとローレベルスイッチ６６ｂを有している。ハイレベルスイッチ６６ａの下端はシスターン６１のハイレベル水位に位置している。ローレベルスイッチ６６ｂの下端はシスターン６１のローレベル水位に位置している。ハイレベルスイッチ６６ａとローレベルスイッチ６６ｂは、水に触れていると検出信号をコントローラ２１に出力する。コントローラ２１は、水位電極６６からの検出信号によって、シスターン６１の水位がハイレベル水位を超えているか、ハイレベル水位とローレベル水位の間にあるか、ローレベル水位よりも低いかを判別する。シスターン６１として適正なのは、水位がハイレベルとローレベルの間に位置している状態である。コントローラ２１は、水位電極６６からの水位検出信号に基づいて補給水弁５９を開閉制御し、シスターン６１の水位を適正範囲に維持する。
【００２２】
シスターン６１の底部には、シスターン出水経路６８の一端が接続されている。シスターン出水経路６８の途中には暖房ポンプ６９が装着されている。暖房ポンプ６９はコントローラ２１によって制御される。シスターン出水経路６８の他端はバーナ上流経路７１と低温水経路７０とに分岐している。バーナ上流経路７１はシスターン出水経路６８とバーナ熱交換器６０の上流側とを接続している。バーナ上流経路７１には、内部を流れる温水の温度を検出する暖房低温サーミスタ７２が装着されている。暖房低温サーミスタ７２の検出信号はコントローラ２１に出力される。
ガス燃焼式のバーナ５７はバーナ熱交換器６０を加熱する。バーナ熱交換器６０の下流とシスターン６１は高温水経路７３によって接続されている。高温水経路７３には、上流側から順に、暖房高温サーミスタ７４、暖房端末熱動弁７５、暖房端末機７６が装着されている。
暖房高温サーミスタ７４は、高温水経路７３を流れる温水の温度を検出する。暖房高温サーミスタ７４の検出信号はコントローラ２１に出力される。
【００２３】
暖房端末機７６は、熱交換器７６ｂと、操作スイッチ７６ａと、電動ファン（図示省略）を備えている。熱交換器７６ｂは、高温水経路７３を流れる温水と空気との間で熱交換を行なう。操作スイッチ７６ａは暖房端末熱動弁７５とコントローラ２１に接続されている。
暖房端末熱動弁７５は、膨張エレメントと、膨張エレメントと機械的に連結された開閉弁を内蔵している。暖房端末機７６の操作スイッチ７６ａがオンにされると、暖房端末熱動弁７５の膨張エレメントに通電が行われる。通電された膨張エレメントは高温になって膨張する。膨張した膨張エレメントは開閉弁を駆動し、これによって暖房端末熱動弁７５が開かれる。また、操作スイッチ７６ａがオンにされると、コントローラ２１は、暖房ポンプ６９を作動させる。このように、操作スイッチ７６ａがオンにされたことによって、暖房端末熱動弁７５が開かれるとともに、暖房ポンプ６９が作動すると、シスターン６１から温水が吸出される。コントローラ２１は、暖房低温サーミスタ７２と暖房高温サーミスタ７４が検出した温水温度に基づいて、バーナ５７を制御し、バーナ熱交換器６０から流出する温水の温度を所定範囲に維持する。暖房端末機７６の電動ファンは、操作スイッチ７６ａがオンにされると回転し、熱交換器７６ｂに空気を吹付ける。熱交換器７６ｂに吹付けられた空気は、熱交換器７６ｂを介して温水と熱交換を行って暖められる。暖められた空気は暖房端末機７６から吹出し、部屋を暖房する。熱交換器７６ｂで空気と熱交換を行なうことによって、温水の温度は低下する。温度が低下した温水は高温水経路７３を流れてシスターン６１に戻る。
【００２４】
高温水経路７３の暖房高温サーミスタ７４の下流側と、高温水経路７３のシスターン６１への入口部の上流側とは追焚き経路７７によって接続されている。追焚き経路７７は追焚き熱交換器５８を通過している。追焚き経路７７の追焚き熱交換器５８の上流側には追焚き熱動弁７８が装着されている。追焚き熱動弁７８はコントローラ２１によって制御される。
浴槽７９には吸出口７９ａと供給口７９ｂが設けられている。吸出口７９ａと供給口７９ｂは風呂循環経路８０によって接続されている。風呂循環経路８０は追焚き熱交換器５８を通過している。上述したように、追焚き経路７７も追焚き熱交換器５８を通過している。このため、追焚き熱交換器５８では、風呂循環経路８０と追焚き経路７７との間で熱交換が行われる。風呂循環経路８０の追焚き熱交換器５８の上流側には、風呂水位センサ８１、風呂循環ポンプ８２、風呂水流スイッチ８４が装着されている。風呂循環ポンプ８２はコントローラ２１によって制御される。風呂水位センサ８１、風呂水流スイッチ８４は、コントローラ２１に検出信号を出力する。風呂水位センサ８１は水圧を検出する。コントローラ２１は、風呂水位センサ８１が検出した水圧から、浴槽７９に張られている湯の水位を推定する。風呂水流スイッチ８４は風呂循環経路８０を水が流れるとオンになる。
風呂循環経路８０の風呂水位センサ８１の上流側には、浴槽７９から吸出された温水の温度を検出する風呂サーミスタ８５が装着されている。風呂サーミスタ８５の検出信号はコントローラ２１に出力される。
【００２５】
バーナ５７と暖房ポンプ６９が作動している状態で追焚き熱動弁７８が開くと、温水が追焚き経路７７に流入して追焚き熱交換器５８を通過する。風呂循環ポンプ８２が作動すると、温水が浴槽７９の吸出口７９ａから吸出され、風呂循環経路８０を流れて再び供給口７９ｂから浴槽７９に戻る循環が行われる。風呂循環経路８０を流れる温水は、追焚き熱交換器５８で追焚き経路７７を流れる温水によって加熱され、浴槽７９の湯が追焚きされる。
【００２６】
給湯栓経路６３の途中と、風呂循環経路８０の風呂循環ポンプ８２の下流側とを接続する湯張り経路２５が設けられている。湯張り経路２５には、ソレノイド駆動タイプの注湯弁２７と、湯張り量センサ８３が装着されている。注湯弁２７は、コントローラ２１によって制御され、湯張り経路２５を開閉する。注湯弁２７が開かれると、湯張り経路２５から風呂循環経路８０へ温水が流入する。湯張り量センサ８３は、湯張り経路２５を流れる水量を検出することにより、浴槽７９への湯張り運転の際に、それがどの程度行われたかを推定する。湯張り量センサ８３はコントローラ２１に検出信号を出力する。
浴槽７９に湯を張るときには、注湯弁２７が開かれる。注湯弁２７が開かれると、温水が給湯栓経路６３から湯張り経路２５を経て風呂循環経路８０に流入する。このとき風呂循環経路８０へ流入する温水は、風呂循環経路８０の往き側の経路と戻り側の経路の二手に分かれる。二手に分かれた温水は、吸出口７９ａと供給口７９ｂから浴槽７９に供給され、浴槽７９に湯張りされる。このときには、風呂循環ポンプ８２は駆動されず、湯張り経路２５に加わっている水圧によって浴槽７９への湯張り運転が行われる。風呂循環経路８０を２本の湯張り経路として利用し、湯張り時間の短縮を図っている。
【００２７】
三方弁８６は、Ａポート８６ａ、Ｂポート８６ｂ、Ｃポート８６ｃを備えている。三方弁８６は、コントローラ２１に制御されて、Ａポート８６ａとＣポート８６ｃを連通させるか、Ｂポート８６ｂとＣポート８６ｃを連通させるかを切換える。
シスターン出水経路６８と三方弁８６のＣポート８６ｃは、低温水経路７０によって接続されている。低温水経路７０の途中には、低温サーミスタ９４、床暖房熱動弁９０、床暖房機９１が設けられている。低温サーミスタ９４は、低温水経路７０を流れる温水の温度を検出する。低温サーミスタ９４の検出信号はコントローラ２１に出力される。床暖房熱動弁９０はコントローラ２１によって制御される。床暖房機９１は、低温水経路７０を流れる温水によって床を暖める。
高温水経路７３の暖房端末熱動弁７５の上流側と、低温水経路７０の床暖房機９１の下流側とは、バイパス経路９２によって接続されている。バイパス経路９２の途中にはバイパス熱動弁９３が装着されている。バイパス熱動弁９３はコントローラ２１によって開閉制御される。
床暖房を行なう場合には、床暖房熱動弁９０が開かれ、温水が床暖房機９１に導かれる。導かれた温水は、床暖房機９１を暖める。床暖房を行なわない場合には、床暖房熱動弁９０が閉じられる。
低温水戻り経路８７が設けられており、三方弁８６のＢポート８６ｂと、高温水経路７３の暖房端末機７６の下流側とを接続している。低温水戻り経路８７には、低温戻りサーミスタ８９が装着されている。低温戻りサーミスタ８９は、低温水戻り経路８７を流れる温水の温度を検出する。低温戻りサーミスタ８９の検出信号はコントローラ２１に出力される。
三方弁８６のＡポート８６ａと、低温水戻り経路８７の途中とを接続する貯湯槽経路８８が設けられている。貯湯槽経路８８には、貯湯槽２０の上部を通過する熱交換部８８ａが形成されている。
【００２８】
コントローラ２１は、低温戻りサーミスタ８９と上部サーミスタ３５が検出した温度を比較し、その結果によって三方弁８６を切換える。具体的には、低温戻りサーミスタ８９が検出した温度よりも上部サーミスタ３５が検出した温度の方が低い場合には、三方弁８６のＢポート８６ｂとＣポート８６ｃが連通するように切換える。Ｂポート８６ｂとＣポート８６ｃを連通すると、低温水経路７０からの温水は、貯湯槽経路８８をバイパスし、低温水戻り経路８７と高温水経路７３を流れてシスターン６１に戻る。シスターン６１に戻った温水は、再びシスターン出水経路６８に吸込まれる。低温戻りサーミスタ８９が検出した温度よりも上部サーミスタ３５が検出した温度の方が高い場合には、三方弁８６のＡポート８６ａとＣポート８６ｃが連通される。Ａポート８６ａとＣポート８６ｃが連通すると、低温水経路７０からの温水は、貯湯槽経路８８を流れる。貯湯槽経路８８を流れる温水は、熱交換部８８ａで貯湯槽２０の上部に貯められている温水によって加熱され、温度が上昇する。温度が上昇した温水は、低温水戻り経路８７と高温水経路７３を流れてシスターン６１に戻される。即ち、貯湯槽２０の上部に貯められている温水が貯湯槽経路８８の熱交換部８８ａを加熱することができる場合にのみ、貯湯槽経路８８に温水が導かれる。
【００２９】
本実施例のコージェネレーションシステムでは、システム電源がオンである間、システムの運転実績を記憶して蓄積する。運転中の電力負荷量（電力需要量）、熱負荷量（熱需要量）、蓄熱量のデータは、１時間毎に記憶される。電力負荷量と熱負荷量のデータは１時間分の積算値が記憶される。蓄熱量のデータは１時間毎の値が記憶される。これらのデータは４週間分累積される。運転日の度に新規にデータが追加され、最も古い日のデータが削除されることで、常時４週間分のデータを保持している。
【００３０】
本実施例のコージェネレーションシステムは、使用者が不在であるか否かを判定する。そして、不在であると判定すると、不在時の運転実績のデータが蓄積記憶されないようにする。保持される４週間分のデータに、不在時のデータは含まれない。
本実施例では、使用者が不在であると判定している間中なされる設定を不在設定といい、不在設定がなされたときに行なう一連の動作を不在動作ということとする。この実施例でいう不在とは、勤務等による定期的な一時的不在の上限時間を超えた時間不在となる、不定期的な長時間に亘る不在を指す。不在設定と不在動作について図を用いて以下に詳細に説明する。
図２のフローチャートに示すように、ステップＳ１０でコージェネレーションシステムの電源がオンされて（ＹＥＳとなって）、コージェネレーションシステムの運転が開始し、ステップＳ１２に進む。ステップＳ１２で、使用者によって不在判定時間が設定されると（ＹＥＳとなると）、さらにステップＳ１４に進む。不在判定時間とは、システムが使用者の不在を判定するまでの時間であり、勤務等による定期的な一時的不在の上限時間を超える時間である。不在設定時間は、特許請求の範囲での第１所定時間に相当する。定期的な一時不在の上限時間は、使用者のライフスタイルによって変動する。本実施例では、使用者が不在判定時間を適宜設定することができる。ステップＳ１４ではタイマによって計時が開始され、ステップＳ２６までに不在判定時間が経過するか否かが監視される。
【００３１】
ステップＳ１６で、第２流量センサ４７が０．５リットル／ｍｉｎを超える流量を検出するか否かが監視される。タイマの計測中（ステップＳ２６でタイマがアップするまで）に、第２流量センサ４７が０．５リットル／ｍｉｎを超える流量を検出すれば（ステップＳ１６でＹＥＳとなれば）、給湯要求があり、給湯栓６４が開かれたこととなる。従って、使用者は在宅しており、ステップＳ１８に進んでタイマの計時を中止し、さらにステップＳ２０に進んで通常動作を行なう。通常動作の説明については省略する。
タイマの計測中（ステップＳ２６でタイマがアップするまで）に、第２流量センサ４７が０．５リットル／ｍｉｎを超える流量を検出しなければ（ステップＳ１６でＮＯとなれば）、給湯栓６４は開かれていないこととなる。使用者が不在の可能性があるが、この段階では不在判定は行なわず、さらにステップＳ２４に進む。
ステップＳ２４では、電力負荷量が２５０Ｗｈ／ｈを超えるか否かが監視される。タイマの計測中（ステップＳ２６でタイマがアップするまで）に、電力負荷量が２５０Ｗｈ／ｈを超えれば（ステップＳ２４でＹＥＳとなれば）、冷蔵庫や待機電力等以外に電力が使用されていることとなる。従って、使用者は在宅しており、ステップＳ１８に進んでタイマの計時を中止し、さらにステップＳ２０に進んで通常動作を行なう。
タイマの計測中（ステップＳ２６でタイマがアップするまで）に、電力負荷量が２５０Ｗｈ／ｈを超えなければ（ステップＳ２４でＮＯとなれば）、冷蔵庫や待機電力等以外に電力が使用されていないこととなる。使用者自身によって設定された適切な時間内（不在判定時間が経過するまで）に、給湯栓６４が開かれず、さらに電力も使用されていないことから、使用者は不在であるとみなされる。このとき、ステップＳ２８に進んで不在動作を行なう。
【００３２】
使用者が不在であっても、冷蔵庫や待機電力等の分の電力負荷はある。しかし、使用者が不在であると、熱負荷はない。従って、不在時に冷蔵庫や待機電力等の分の電力を得るために発電運転を行ない、発電に伴う発電熱を蓄熱しても、この熱エネルギーは使用されずに余ってしまう。発電に伴う発電熱を蓄熱する必要がない場合、発電するよりも買電する方が経済的である。従って、不在動作では、図３のフローチャートに示すように、まずステップＳ４０において発電を停止する。
【００３３】
ステップＳ４２に進み、不在設定を行なう。使用者が不在であるとき、電力需要量はほとんど発生せず、熱需要量は発生しない。このような不在時の運転実績のデータに基いて運転計画を立案しても合理的な運転計画が立案できない。あるいは有利な利用方法を推奨することができない。あるいは表示される省エネルギー効果の実績が不確かなものとなる。即ち、使用者が不在であるときの運転実績のデータが運転実績のデータに混入してしまうと、蓄積データの信頼度を下げてしまう。従って、使用者が不在であると判別したとき、不在設定を行なう。不在設定では、以後の運転実績のデータの蓄積記憶を停止する。さらに、不在判定時間中、即ち、図２のステップＳ１４でタイマの計時がスタートする時からステップＳ２６でタイマがアップする時までの間中に蓄積記憶した運転実績のデータを消去する。不在時の運転実績のデータを消去する場合、完全に消去することのみならず、不在時の運転実績のデータであることを記憶して、非不在時の運転実績のデータでないことが判明するように措置することを含む。不在時の運転実績のデータを他から区別して蓄積記憶することができる。
【００３４】
ステップＳ４４で、第２流量センサ４７が０．５リットル／ｍｉｎを超える流量を検出するか否かが監視される。第２流量センサ４７が０．５リットル／ｍｉｎを超える流量を検出すれば（ステップＳ４４でＹＥＳとなれば）、給湯要求があり、給湯栓６４が開かれたこととなる。従って、使用者は在宅しており、ステップＳ４４に進んで不在設定を解除する。
第２流量センサ４７が０．５リットル／ｍｉｎを超える流量を検出しなければ（ステップＳ４４でＮＯとなれば）、給湯栓６４は開かれていないこととなる。依然、使用者が不在の可能性があり、さらにステップＳ７２に進む。
ステップＳ７２では、電力負荷量が２５０Ｗｈ／ｈを超えるか否かが監視される。電力負荷量が２５０Ｗｈ／ｈを超えれば（ステップＳ７２でＹＥＳとなれば）、冷蔵庫や待機電力等以外に電力が使用されていることとなる。従って、使用者は在宅しており、ステップＳ４６に進んで不在設定を解除する。
電力負荷量が２５０Ｗｈ／ｈを超えなければ（ステップＳ７２でＮＯとなれば）、冷蔵庫や待機電力等以外に電力が使用されていないこととなる。従って、給湯栓６４が開かれておらず、さらに電力も使用されていないことから、依然、使用者は不在であるとみなされる。ステップＳ４４で第２流量センサ４７が０．５リットル／ｍｉｎを超える流量を検出するか、あるいはステップＳ７２で電力負荷量が２５０Ｗｈ／ｈを超えて使用者の在宅が確認できるまで、ステップＳ４４からステップＳ７２が繰返され、不在設定が継続される。
不在設定がなされてから不在設定が解除されるまでの間（ステップＳ４２からステップＳ４６）、リモコン２３の表示器に不在設定中である旨が表示される。なお、不在設定がなされるときと不在設定が解除されるときに、それぞれ音声によって報知される構成であってもよい。
【００３５】
ステップＳ４６で不在設定が解除されると、ステップＳ４８に進む。ステップＳ４８では、不在設定が７２時間以上継続されたか否かが判別される。この７２時間という時間は、特許請求の範囲での第２所定時間を具現化したものである。不在設定が７２時間以上継続されていないと判定されれば（ステップＳ４８でＮＯとなれば）、貯湯槽２０内の水を利用して給湯しても、衛生上問題はない。従って、ステップＳ６４に進んで発電運転を再開し、ステップＳ６６に進んでデータの蓄積記憶を再開して不在動作を終了する。不在動作の終了後は、図２のステップＳ２０に進んで通常動作に戻る。
不在設定が７２時間以上継続されると、貯湯槽２０内の水は７２時間以上入替わることなく貯水されていたこととなる。このように長時間貯水されていると、貯湯槽内の水に細菌が繁殖している可能性が絶無ではない。従って、高い安全性を確保するため、不在設定が解除された時、不在設定が７２時間以上継続されたと判定されると（ステップＳ４８でＹＥＳとなると）、ステップＳ５０以降の処理で、貯湯槽２０内の水を入替えるか、または加熱殺菌するかの何れかの処理を行なう。
【００３６】
ステップＳ５０に進むと、リモコン２３の表示器に、貯湯槽２０内の水の入替えを勧める旨の表示を行なう。ステップＳ５２に進むと、貯湯槽２０内の水の入替えスイッチがオンされたか否かが判別される。入替えスイッチはリモコン２３上にある。入替えスイッチがオンされると（ステップＳ５２でＹＥＳとなると）、ステップＳ５４に進み、貯湯槽２０内の水の入替えを行なう。具体的には、ミキシングユニット２４の温水入口２４ｃを全開し、給水入口２４ａを全閉し、注湯弁２７を開く。これによって、貯湯槽２０内の水は、上部から温水経路４２に送り出され、順に、ミキシングユニット２４、温水経路５１、湯張り経路２５、風呂循環経路８０を経て浴槽７９に導入される。風呂循環経路８０では、往き側の経路と戻り側の経路の二手に分かれて浴槽７９に導入される。浴槽７９に導入された水は浴槽７９の排水口から排水される。貯湯槽２０内の水が排水されると同時に、給水経路２６から貯湯槽２０内に同量の水道水が導入される。
ステップＳ５６に進み、給湯栓６４が開けられたか否かが判別される。給湯栓６４が開けられていなければ（ステップＳ５６でＮＯであれば）、給湯要求はないとみなされ、ステップＳ５８に進む。ステップＳ５８で第２流量センサ４７が検出する流量の積算流量が貯湯槽２０の容量を上回るまで（ＹＥＳとなるまで）排水が行なわれると、貯湯槽２０内の水は総入替えされたこととなる。ステップＳ６０に進んで注湯弁２７を閉じて排水を停止し、ステップＳ６２に進んで、リモコン２３の表示器に、貯湯槽２０内の水の入替えが完了した旨の表示を行ない、ステップＳ６４に進む。ステップＳ６４に進んで発電運転を再開し、ステップＳ６６に進んでデータの蓄積記憶を再開して不在動作を終了する。不在動作の終了後は、図２のステップＳ２０に進んで通常動作に戻る。
【００３７】
ステップＳ５６で、給湯栓６４が開けられていれば（ＹＥＳとなれば）、給湯要求があったとみなされる。このとき、貯湯槽２０内の水の入替えの最中であり、入替えが完了するまでは貯湯槽２０内の水が給湯されないようにする必要がある。従って、ステップＳ６８に進み、ミキシングユニット２４の温水入口２４ｃを全閉し、給水入口２４ａを全開する。給湯要求箇所が浴槽７９以外であれば、注湯弁２７を閉じる。この処理によって、貯湯槽２０内の水の排水を停止して水の入替えを中断するとともに、水道水のみを導入し、導入した水道水をバーナ５６によって加熱して給湯する。給湯に貯湯槽２０内の水は利用されない。ステップＳ７０で給湯栓６４が閉じられて（ステップＳ７０でＹＥＳとなって）、給湯が停止すると、ステップＳ５４に戻る。ステップＳ５４で再びミキシングユニット２４の温水入口２４ｃを全開し、給水入口２４ａを全閉し、注湯弁２７が閉じていれば注湯弁２７を開き、貯湯槽２０内の水の入替えを再開する。水の入替えが完了するまでステップＳ５４〜ステップＳ６２の処理を繰返し、ステップＳ６４に進む。ステップＳ６４で発電運転を再開し、ステップＳ６６に進んでデータの蓄積記憶を再開して不在動作を終了する。不在動作の終了後は、図２のステップＳ２０に進んで通常動作に戻る。
【００３８】
ステップＳ５２で一定時間経過しても入替えスイッチがオンされなければ（ＮＯであれば）、貯湯槽２０内の水の加熱殺菌を行なう。ステップＳ７４に進んで発電運転を再開すると、貯湯槽２０内の水は発電熱によって加熱される。貯湯槽２０内の水は発電熱によって約６０℃まで加熱されることから、発電熱は貯湯槽２０内の水の殺菌に有効である。但し、貯湯槽２０内の水の加熱殺菌が完了するまでは貯湯槽２０内の水が使われることがないようにする必要がある。従って、ステップＳ７６に進んで、ミキシングユニット２４の温水入口２４ｃが全閉され、給水入口２４ａが全開される。給湯要求があったときは、水道水のみを導入し、バーナ５６によって加熱して給湯する。給湯に貯湯槽２０内の水は利用されない。ステップＳ７８で上部サーミスタ３５が検出する温度が６０℃を超え、且つ下部サーミスタ３６が検出する温度が４５℃を超えれば（ＹＥＳとなれば）、貯湯槽２０内の水の加熱殺菌は完了したとみなすことができる。従って、ステップＳ８０に進んで、リモコン２３の表示器に、貯湯槽２０内の水の殺菌が完了した旨の表示を行ない、ステップＳ６６に進む。ステップＳ６６でデータの蓄積記憶を再開して不在動作を終了する。不在動作の終了後は、図２のステップＳ２０に進んで通常動作に戻る。
【００３９】
図２のステップＳ２０で通常動作が行なわれ、ステップＳ２２でシステム電源がオフされるまで（ＹＥＳとなるまで）、ステップＳ１０からステップＳ２２の処理が繰返される。システム電源がオフされると（ステップＳ２２でＹＥＳとなると）、処理を終了し、コージェネレーションシステムの運転が停止する。
【００４０】
本実施例のコージェネレーションシステムでは、運転実績のデータを記憶して蓄積する。蓄積記憶されたデータを利用して、例えば、予約された熱負荷の熱エネルギー量が、予約時刻に蓄熱されているか否かを予測することができる。また、運転実績のデータを利用して、システムの運転について、経済性や省エネルギー性を診断することができる。そしてその診断に基いて、経済性や省エネルギー性がより向上するように、電力や熱エネルギーの使用タイミングや使用量をアドバイスすることができる。さらに、運転実績のデータを利用すれば、経済性と省エネルギー性が高く、しかも使用者のライフスタイルに合致するような運転計画を作成することもできる。作成した運転計画に基いてシステムを運転することによって、経済性と省エネルギー性の向上が実現する。これらの他にも、運転実績のデータは多様な利用が可能である。
【００４１】
蓄積記憶された運転実績のデータに基いて提示される上記のような情報や診断やアドバイスを受け、使用者は、経済性と省エネルギー性に優れた運転を実施するように心掛ける。このとき、運転実績のデータの精度が低ければ、システムが提示する情報や診断やアドバイスを受けて、使用者がその通りにシステムの運転を実施しても、経済性と省エネルギー性が向上しない場合がある。
運転実績のデータの精度が下がる大きな要因はデータのばらつきである。使用者が在宅中で、普段通りの生活をしているときのデータであれば、電力負荷や熱負荷の発生量やそのタイミングが多少ずれていたとしても、それがデータの精度を大きく下げるほどの要因とはなり得ない。また、勤務等による定期的な一時的不在は運転実績に組み込むべき不在であり、蓄積記憶するデータから排除するべきではない。データの精度を大きく下げるほどの要因となり得るのは、使用者の不定期的な不在のデータである。使用者が不在であるとき、電力負荷量は、冷蔵庫や待機電力等に常時必要とされる分を除いて発生しない。また、熱負荷量は発生しない。このような、蓄積記憶する運転実績データに使用者の不定期的な不在時の運転実績データが混入すると、蓄積記憶する運転実績データの信頼性と有用性が大きく下がる。
【００４２】
本実施例のコージェネレーションシステムでは、使用者自身が設定した時間内に、給湯要求と所定量以上の電力負荷量がなければ、使用者の不定期的な不在を判定して不在設定を行ない、不在動作を開始する。これによって、使用者の不定期的な不在を確実に判定することができ、不在設定をし忘れることがない。
また、このコージェネレーションシステムでは、不在設定中に給湯要求または所定量以上の電力負荷量があれば、使用者の帰宅を判定して不在設定を解除する。これによって、使用者の帰宅を確実に判定することができ、不在設定の解除をし忘れることがない。
さらに、このコージェネレーションシステムでは、不在設定を行なうと、以後、不在動作が終了するまで運転実績のデータの記憶を行なわず、不在判定時間中に記憶したデータを消去する。これによって、蓄積記憶する運転実績のデータに使用者の不定期的な不在時の運転実績データが混入しない。
以上のことから、本実施例のコージェネレーションシステムでは、蓄積記憶する運転実績データ中に、使用者の不定期的な不在時の運転実績データが混入しないために、蓄積記憶される運転実績のデータの信頼性と有用性が向上し、コージェネレーションシステムの合理的な運転が可能となる。
【００４３】
本実施例のコージェネレーションシステムでは、流量センサの検出値の変化と電力センサの検出値の変化を監視して使用者が不在であるか否かを判定する。これらの運転状態の所定変化の他に、熱負荷の発生の有無、人による機器操作の検出、人体感応センサによる検知等を監視することによっても使用者が不在であるか否かを判定することができる。熱負荷が発生すれば、使用者が在宅していることがわかる。人によって操作される機器が操作されたことが検出されれば、使用者が在宅していることがわかる。人体感応センサによって人体が検知されれば、使用者が在宅していることがわかる。これらのうちの２以上を監視し、不在判定時間を越えていずれの変化も検出されなければ、使用者が不在であるとみなす。監視しているもののうち、１以上の変化が検出されれば、使用者が在宅であるとみなす。
【００４４】
本実施例のコージェネレーションシステムでは、不在設定がなされたとき、不在であったという事象自体を記憶し、不在時のデータを蓄積記憶することができる。不在時のデータとして、不在設定がなされた時刻と不在設定が解除された時刻を記憶したり、不在設定がなされた時刻から不在設定が解除された時刻までに経過した時間（不在であった時間）等を記憶したりするようにすれば、長時間に亘る不在であっても定期的なものに限っては使用者のライフスタイルに組み込むことができる。定期的な長時間に亘る不在とは、例えば、使用者が、毎週決まった曜日に出張し、このために長時間不在となるような場合の不在である。不在時のデータを蓄積記憶することによって、より使用者のライフスタイルに合った運転計画を立案することが可能となる。
【００４５】
本実施例のコージェネレーションシステムでは、７２時間以上の長期に亘って不在設定が継続されていた場合に、貯湯槽２０内の水に細菌が繁殖している可能性が絶無ではないことから、不在設定を解除した時、貯湯槽２０内の水の加熱殺菌を行なうか、または水の入替えを推奨する旨の表示を行なう。使用者は、貯湯槽２０内の水の加熱殺菌を行なうか、水の入替えを行なうかを選択して実施することができる。このことによって、高い安全性を確保することができる。
なお、貯湯槽２０内の水の入替えと加熱殺菌については、いずれか一方だけを行なうことに限られない。貯湯槽２０内の水の加熱殺菌を行なってから入替えを行なうようにすれば、一層効果的である。
また、貯湯槽２０内の水の加熱殺菌を行なうとき、本実施例では発電熱によって貯湯槽２０内の水を加熱したが、貯湯槽経路８８を利用して加熱することもできる。バイパス熱動弁９３を開き、三方弁８６のＡポート８６ａとＣポート８６ｃを連通させ、暖房ポンプ６９を駆動させると、シスターン６６内の水（温水）が、高温水経路７３、バイパス経路９２、低温水経路７０、貯湯槽経路８８、低温水戻り経路８７を順に経てシスターン６６に戻る循環経路が形成される。バーナ５７を燃焼させると、シスターン６６から送り出された水がバーナ５７によって加熱されて高温水となる。この高温水が貯湯槽経路８８の熱交換部８８ａで貯湯槽２０内の水を加熱し、自らは低温となってシスターン６６に戻る。この水の循環によって、貯湯槽２０内の水を加熱することができる。この加熱方法は、発電運転を行なっていないときに有効である。
本実施例のコージェネレーションシステムでは、不在設定を解除した後、貯湯槽内の水の入替えを行なう場合、入替えが完了してから発電運転を再開するが、貯湯槽内の水を加熱殺菌する時と同様に、不在設定を解除した直後に発電運転を再開してもよい。
また、不在設定が継続された時間については７２時間に限るものではなく、適宜決定することができる。
【００４６】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
また、本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【図面の簡単な説明】
【００４７】
【図１】本実施例に係るコージェネレーションシステムの系統図。
【図２】本実施例に係る不在判定処理のフローチャート。
【図３】本実施例に係る不在動作処理のフローチャート。
【符号の説明】
【００４８】
１０：給湯システム
２０：貯湯槽
２１：コントローラ
２２：給湯器
２３：リモコン
２４：ミキシングユニット
２５：湯張り経路
２６：給水経路
２７：注湯弁
３５：上部サーミスタ
３６：下部サーミスタ
４２：温水経路
４７：第２流量センサ
５１：温水経路
５２：バーナ熱交換器
５６：バーナ
６４：給湯栓
７９：浴槽
８０：風呂循環経路
１１０：発電ユニット
【図１】
2006090604.tif 000003
【図２】
2006090604.tif 000004
【図３】
2006090604.tif 000005